(57)【要約】  【課題】  開口枠内に収納された障子の一部に網戸を収納した網戸付きサッシにおいて、開口枠中間部の視界を遮ることなく、且つ開口枠の見込み幅を増大させることなく、障子の施錠状態でも通気を確保する。  【解決手段】  開口枠１内に収納される障子２の縦框2a，2aと横框2b，2bとで区画される開口部を上部と中間部と下部に３分割し、上部開口部と下部開口部の各室外側に網戸３を固定状態で収納し、網戸３の室内側に可動障子４を開閉自在に収納する。上部開口部と下部開口部においては各室外側の一方の縦框2a寄りに固定障子５を、各室内側の他方の縦框2a寄りに可動障子４をそれぞれ収納し、可動障子４の室外側に網戸３を収納する。または上部開口部と下部開口部の各室外側全面に網戸３を、各室内側全面に可動障子４をそれぞれ収納する。【選択図】      図１ 
2004245037.tif 000002
【特許請求の範囲】
【請求項１】
網戸付きの障子を開口枠内に収納したサッシであり、障子の縦框と横框とで区画される開口部は上部と中間部と下部に３分割され、上部開口部と下部開口部の各室外側に網戸が固定状態で収納され、網戸の室内側に可動障子が開閉自在に収納されている網戸付きサッシ。
【請求項２】
上部開口部と下部開口部の各室外側の一方の縦框寄りに固定障子が、各室内側の他方の縦框寄りに障子の横框に沿って開閉自在な可動障子がそれぞれ収納され、可動障子の室外側に網戸が収納されている請求項１記載の網戸付きサッシ。
【請求項３】
上部開口部と下部開口部の各室外側の全面に網戸が、各室内側の全面に障子の縦框に沿って開閉自在な可動障子がそれぞれ収納されている請求項１記載の網戸付きサッシ。
【請求項４】
網戸は網をその両面から、多数の開口を有し、自立性のあるフレーム材で挟み込んで製作されている請求項１乃至請求項３のいずれかに記載の網戸付きサッシ。
【請求項５】
障子は開口枠内に引違い状態で収納されている請求項１乃至請求項４のいずれかに記載の網戸付きサッシ。
【発明の詳細な説明】
【技術分野】
【０００１】
この発明は開口枠内に収納された障子の一部に網戸を収納した網戸付きサッシに関するものである。
【背景技術】
【０００２】
開口枠内に障子と共に網戸を収納した網戸付きサッシは、引違い状態で配置された２枚の可動障子の室外側に、下枠のレールに沿って移動自在に網戸が配置される形式が一般的である。
【０００３】
網戸は障子が開放しているときの室内への虫の進入を阻止する機能を有することから、網戸が障子から独立して開閉する上記サッシでは網戸は障子の全面を覆う面積を持つ必要があるが、特に掃き出し窓のように高さ寸法の大きい開口枠では網戸の高さ方向の中間部に、縦框と横框からなる框組の剛性不足を補うための中桟が架設されるため、障子のガラス面の視界を遮る難点がある（特許文献１参照）。
【０００４】
また網戸が開口枠の全高に亘って配置され、開口枠内を下枠のレールに沿って移動できる形式のサッシでは網戸が室外側の障子から独立していることで、網戸を施錠することが不可能であるか、無意味であるため、防犯性の面から、就寝時や外出時に通気のために障子を開放させたままにしておくことができない。
【０００５】
更に網戸は例えば周囲の框組と室外側の障子の框組のいずれか一方に敷設される気密材が他方に密着することにより虫が網戸と障子間から室内へ進入することを阻止するが、気密材は繰り返される網戸の移動によって磨り減るため、網戸の框組と障子の框組との間における防虫効果が使用と共に次第に低下する問題がある（特許文献２参照）。
【０００６】
就寝時等に通気が確保されない問題に対しては、引違い戸式に配置される外障子と内障子の各框組で区画される開口部をそれぞれ上下に２分割し、上部の開口部に上げ下げ窓式に可動障子と網戸を収納することで、外障子と内障子の施錠状態でも通気を確保する方法がある（特許文献３参照）。
【特許文献１】特開2001-220968号公報
【特許文献２】特開平11-315671号公報
【特許文献３】特開2001-65263号公報
【発明の開示】
【発明が解決しようとする課題】
【０００７】
しかしながら、特許文献３のサッシは上下に２分割された各開口部に障子を収納することで、形式的には開口枠の中間部に中桟が配置される形になるため、視界が妨げられる問題が伴う他、両障子と網戸が見込み方向に配置されることで、開口枠の見込み幅が極端に大きくなり、開口部への納まりが難しくなる不利益がある。
【０００８】
この発明は開口枠中間部の視界を遮ることなく、且つ開口枠の見込み幅を増大させることなく、外障子と内障子の施錠状態でも通気を確保できる形態のサッシを提案するものである。
【課題を解決するための手段】
【０００９】
本発明では開口枠内に収納される障子の縦框と横框とで区画される開口部を上部と中間部と下部に３分割し、上部開口部と下部開口部の各室外側に網戸を固定状態で収納し、網戸の室内側に可動障子を開閉自在に収納することにより、開口枠中間部の視界を遮ることなく、且つ開口枠の見込み幅を増大させることなく、障子の施錠状態でも通気を確保する。
【００１０】
障子の両縦框と上下の横框とで区画される開口部が高さ方向に３分割されることで、開口枠の中間部に視界を妨げる框や中桟が存在しなくなるため、室内からの眺望が遮られることがなくなる。
【００１１】
障子の框組で区画される開口部の内、上部開口部と下部開口部の室外側に網戸が配置され、その室内側に可動障子が開閉自在に収納されることで、障子本体の開閉に関係なく網戸の開口部を開放させることができるため、障子の施錠状態においても網戸を通じた通気を確保することが可能になり、併せて防犯性も確保される。
【００１２】
上部開口部と下部開口部の少なくともいずれか一方における可動障子を開放させ、網戸を通じて通気を確保している状態での防犯性は請求項４に記載のように網（防虫網）をその両面から、多数の開口を有し、自立性のあるフレーム材で挟み込んで網戸を製作することにより向上する。
【００１３】
フレーム材にはステンレススチールその他の金属やプラスチック等のように衝撃力を受けても容易に破断しない強度を持つ材料が使用され、網を挟んだ状態での通気性を確保するために多数の開口が形成される。
【００１４】
フレーム材が破断に対する一定の強度を有し、網の全面を保護することで、可動障子を開放させているときの外部からの侵入者の侵入を阻止することが可能となり、網戸の周囲にのみ框が配置される場合より防犯性が向上する。
【００１５】
また網戸が障子の上部開口部と下部開口部の２箇所に配置されることで、上部開口部と下部開口部の可動障子を開放させたときにはいずれか一方の開口部から吸気が、他方の開口部から排気が行われるため、障子毎に自然換気を行うことが可能になる。
【００１６】
網戸が障子の開口部内に固定状態で収納されることで、可動障子の開放時にも可動障子の框と網戸の框との間に隙間が発生することがないため、障子が開口枠内で閉鎖している限り、虫の進入は完全に防止され、防虫効果が使用と共に次第に低下する問題は発生しない。
【００１７】
加えて網戸が障子の框組で区画される一部の開口部に収納されることで、網戸の網の面と、外障子のガラス等のパネルの面を同一面内に配置することができるため、開口枠の見込み幅を増大させることがない。
【００１８】
障子の上部開口部と下部開口部においては、例えば請求項２に記載のように各室外側の一方の縦框寄りに固定障子が、各室内側の他方の縦框寄りに障子の横框に沿って開閉自在な可動障子がそれぞれ収納され、可動障子の室外側に網戸が収納される。この場合、可動障子は障子の横框に沿って走行することにより開閉し、開放時に網戸の収納位置からの通気を確保する。
【００１９】
または請求項３に記載のように上部開口部と下部開口部の各室外側の全面に網戸が、各室内側の全面に障子の縦框に沿って開閉自在な可動障子がそれぞれ収納される。この場合、可動障子は障子の縦框に沿って昇降することにより開閉し、可動障子の開放時に網戸の収納位置からの通気を確保する。
【００２０】
開口枠が掃き出し窓の場合には例えば請求項５に記載のように２枚の障子が開口枠内に引違い状態で、またはいずれか一方の障子が固定され、他方の障子のみが開口枠の上枠と下枠に沿って片引き戸式に走行自在に収納されるが、この他、縦枠に支持され、開き戸式に開閉自在に収納される等、障子の開閉の形態は問われず、開口枠内に収納される障子の枚数も問われない。
【００２１】
また前記の通り、障子の上部開口部と下部開口部の可動障子を開放させることで、開口枠において通気が確保されるため、障子自体は必ずしも開閉自在である必要はなく、開口枠に嵌殺し状態に収納されることもある。
【発明の効果】
【００２２】
開口枠内に収納される障子の縦框と横框とで区画される開口部を上部と中間部と下部に３分割するため、開口枠の中間部に視界を妨げる框や中桟が不在となり、室内からの眺望が遮られる事態を回避することができる。
【００２３】
網戸を障子の框組で区画される開口部の内、上部開口部と下部開口部の室外側に配置し、その室内側に可動障子を開閉自在に収納するため、障子本体の開閉に関係なく網戸の開口部を開放させることができ、障子の施錠状態においても網戸を通じた通気を確保することが可能になり、併せて防犯性も確保される。
【００２４】
網戸が障子の上部開口部と下部開口部の２箇所に配置されることで、上部開口部と下部開口部を開放させたときにはいずれか一方から吸気が、他方から排気が行われるため、障子毎に自然換気を行うことができる。
【００２５】
網戸を障子の開口部内に固定状態で収納することで、可動障子の開放時にも可動障子の框と網戸との間に隙間が発生することがないため、障子が閉鎖している限り、虫の進入を完全に防止することができる。
【００２６】
網戸を障子の框組で区画される一部の開口部に収納することで、網戸の網の面と外障子のパネルの面を同一面内に配置することができるため、開口枠の見込み幅を増大させることがない。
【００２７】
請求項４では網（防虫網）をその両面から、多数の開口を有し、自立性のあるフレーム材で挟み込んで網戸を製作するため、障子の上部開口部と下部開口部における可動障子を開放させ、網戸を通じて通気を確保している状態での防犯性が向上する。
【発明を実施するための最良の形態】
【００２８】
この発明は図１、図４に示すように網戸３付きの障子２を開口枠１内に収納したサッシにおいて、障子２の縦框2a，2aと横框2b，2bとで区画される開口部を上部と中間部と下部に３分割し、上部開口部と下部開口部の各室外側に網戸３を固定状態で収納し、網戸３の室内側に可動障子４を開閉自在に収納した網戸付きサッシである。
【００２９】
開口枠１は両側の縦枠1a，1aと上下の横枠1b，1bから方形状に組み立てられ、障子２の框組は両側の縦框2a，2aと上下の横框2b，2bから方形状に組み立てられ、縦框2a，2a間に縦框2a，2aと横框2b，2bとで区画される開口部を上部開口部と中間部開口部、及び下部開口部に３分割する２本の横桟2c，2cが架設される。上側の横桟2cは上側の横框2b寄りに架設され、下側の横桟2cは下側の横框2b寄りに架設される。
【００３０】
上部開口部は縦框2a，2aと上側の横框2bと横桟2cから、中間部開口部は縦框2a，2aと上下の横桟2c，2cから、下部開口部は縦框2a，2aと下側の横框2bと横桟2cからそれぞれ形成され、上部開口部と下部開口部の室外側に網戸３が収納され、網戸３の室内側に可動障子４が収納される。中間部開口部にはガラス等の透光性のあるパネル2dが収納される。
【００３１】
図１、図４では開口枠１内に２枚の障子２，２を引違い状態に収納した請求項５に記載の発明の具体例を示すが、開口枠１内での通気は各障子２の上部開口部と下部開口部において確保されるため、障子２が開閉自在であるか否かは問われない。開閉自在である場合には少なくともいずれか一方の障子２が何らかの形態で開閉できればよい。図示する引違い戸式の場合、両障子２，２は上側の横枠1bの下面と下側の横枠1bの上面に敷設されたレール1c，1cに沿って走行する。
【００３２】
２枚の障子２，２を引違い戸式に収納した場合、または室外側の障子２を固定障子にし、室内側の障子２のみを片引き戸式に収納した場合、室内側の障子２の召合せ框（縦框2a）等、召し合わせ部分にはクレセント錠等の施錠装置６が固定され、室外側の障子２の召合せ框（縦框2a）等、召し合わせ部分には錠受け７が固定される。
【００３３】
図１〜図３は可動障子４を障子２の横框2bと横桟2cに沿って開閉自在に上部開口部と下部開口部に収納した請求項２に記載の発明のサッシを示す。
【００３４】
この場合、図１のｘ−ｘ線断面図である図２、及びｙ−ｙ線断面図である図３に示すように上部開口部と下部開口部の各室外側の一方の縦框2a寄り、例えば障子２の戸先框寄りに固定障子５が、各室内側の他方の縦框2a寄り、例えば召合せ框寄りに可動障子４がそれぞれ収納される。網戸３は図２に示すように可動障子４の室外側に収納され、固定障子５と同一面内、またはその付近に位置する。
【００３５】
固定障子５は方形状に組まれる縦框5a，5aと横框5b，5b、及び周囲を縦框5a，5aと横框5b，5bに保持されるガラス等のパネル5cからなり、縦框5a，5aと横框5b，5bにおいて障子２の縦框2aと横框2b、及び横桟2cに固定される。
【００３６】
網戸３は方形状に組まれる縦框3a，3aと横框3b，3b、及び周囲を縦框3a，3aと横框3b，3bに保持される網3cからなり、縦框3a，3aと横框3b，3bにおいて障子２の縦框2aと横框2b、及び横桟2cに固定される。網戸３は固定障子５の縦框5aと障子２の縦框2a、及び障子２の横框2bと横桟2cとで区画される開口部に配置される。
【００３７】
網戸３の固定障子５側の縦框3aは固定障子５の縦框5a、もしくは障子２の横框2bと横桟2cに固定され、縦框2a側の縦框3aは障子２の縦框2a、もしくは横框2bと横桟2cに固定される。網戸３の網3cは固定障子５のパネル5cと同一面内、またはその付近に位置する。
【００３８】
可動障子４は方形状に組まれる縦框4a，4aと横框4b，4b、及び周囲を縦框4a，4aと横框4b，4bに保持されるガラス等のパネル4cからなり、障子２の上側の横框2bの下面と上側の横桟2cの上面に敷設されるレール2e，2eに沿って走行し、片引き戸式に開閉する。
【００３９】
可動障子４の召合せ框（縦框4a）等、召し合わせ部分にはクレセント錠等の施錠装置８が固定され、固定障子５の召合せ框（縦框5a）等、召し合わせ部分には錠受け９が固定される。
【００４０】
図４〜図６は可動障子４を障子２の縦框2a，2aに沿って開閉自在に上部開口部と下部開口部に収納した請求項３に記載の発明のサッシを示す。
【００４１】
この場合、図４のｘ−ｘ線断面図である図５、及びｙ−ｙ線断面図である図６に示すように上部開口部と下部開口部の各室外側の全面に網戸３が収納され、各室内側の全面に可動障子４が収納される。
【００４２】
網戸３は図１の場合と同様、方形状に組まれる縦框3a，3aと横框3b，3b、及び周囲を縦框3a，3aと横框3b，3bに保持される網3cからなり、縦框3a，3aと横框3b，3bにおいて障子２の縦框2aと横框2b、及び横桟2cに固定される。網戸３の縦框3a，3aは障子２の縦框2a，2a、もしくは横框2bと横桟2cに固定される。
【００４３】
可動障子４は方形状に組まれる縦框4a，4aと横框4b，4b、及び周囲を縦框4a，4aと横框4b，4bに保持されるガラス等のパネル4cからなり、両側の縦框4a，4aにおいて障子２の縦框2a，2aに昇降自在に保持される。可動障子４は障子２の両縦框2a，2aの対向する面に敷設されるレール2f，2fに沿って昇降し、上げ下げ窓式に開閉する。
【００４４】
図４〜図６の場合、網戸３の室内側を可動障子４が昇降することから、障子２の横桟2cの見込み幅は図６に示すように横框4bの見込み幅より小さく、横桟2cは可動障子４の下側の横框4bと干渉しないよう、室外寄りに位置する。図面では障子２の横桟2cと網戸３の上側の横框3bが室内側に露出しないよう、横桟2c及び横框3bと横框4bの見付け幅を統一し、可動障子４の閉鎖状態でその上側の横框4bが横框3bに重なり、下側の横框4bが横桟2cに重なるように配置しているが、必ずしもその必要はない。
【００４５】
上部開口部に収納される可動障子４の下側の横框4bの下面、及び下部開口部に収納される可動障子４の上側の横框4bの上面にはクレセント錠等の施錠装置８が固定され、上側の横桟2cの下面、及び下側の横桟2cの上面には錠受け９が固定される。
【００４６】
図７〜図９は網（防虫網）3cをその両面から、多数の開口3eを有し、自立性のある２枚のフレーム材3d，3dで挟み込んで製作し、衝撃に対する安全性を高めた請求項４に記載の網戸３を示す。
【００４７】
ここではステンレススチールの板に、格子状に配列する、多数の正方形状の開口3eをパンチングにより形成した場合（パンチングメタル）のフレーム材3dを示すが、金属製であるかプラスチック製であるか等のフレーム材3dの材料と製作方法は問われず、通気性を阻害しない限り、開口3eの形状と配列も問われない。
【００４８】
フレーム材3d，3dは図８、図９に示すように開口3e以外の部分において互いに突き合わせられ、密着することにより網3cを挟み込み、保持する。フレーム材3d，3dが互いに密着する部分は互いに嵌合することにより、または接着や溶着等により互いに連結される。フレーム材3dの外周部分は縦框3aと横框3bになる。
【図面の簡単な説明】
【００４９】
【図１】請求項２に記載のサッシの外観を示した立面図である。
【図２】図１のｘ−ｘ線断面図である。
【図３】図１のｙ−ｙ線断面図である。
【図４】請求項３に記載のサッシの外観を示した立面図である。
【図５】図４のｘ−ｘ線断面図である。
【図６】図４のｙ−ｙ線断面図である。
【図７】請求項４に記載の網戸を示した立面図である。
【図８】図７の斜視図である。
【図９】図７の一部の縦断面図である。
【符号の説明】
【００５０】
１……開口枠、1a……縦枠、1b……横枠、1c……レール、
２……障子、2a……縦框、2b……横框、2c……横桟、2e……レール、2f……レール、
３……網戸、3a……縦框、3b……横框、3c……網、3d……フレーム材、3e……開口、
４……可動障子、4a……縦框、4b……横框、4c……パネル、
５……固定障子、5a……縦框、5b……横框、5c……パネル、
６……施錠装置、７……錠受け、８……施錠装置、９……錠受け。
【図１】
2004245037.tif 000003
【図２】
2004245037.tif 000004
【図３】
2004245037.tif 000005
【図４】
2004245037.tif 000006
【図５】
2004245037.tif 000007
【図６】
2004245037.tif 000008
【図７】
2004245037.tif 000009
【図８】
2004245037.tif 000010
【図９】
2004245037.tif 000011